(57)【要約】【課題】構造体の開口部に対して情報端末を複数の異なる位置で取り付けることができる情報端末取付部材を提供する。【解決手段】情報端末を構造体の開口部に取り付けるための情報端末取付部材１０は、情報端末を第１の位置で取り付けるための第１上側貫通孔２０ａおよび第１下側貫通孔２４ａと、情報端末を第１の位置から所定距離だけ移動させた第２の位置で取り付けるため第２上側貫通孔２０ｂおよび第２下側貫通孔２４ｂとを備える。【選択図】図２
2020036257.tif 000002
【特許請求の範囲】
【請求項１】
情報端末を構造体の開口部に取り付けるための情報端末取付部材であって、
前記情報端末を第１の位置で取り付けるための第１取付部と、前記情報端末を前記第１の位置から所定距離だけ移動させた第２の位置で取り付けるため第２取付部とを備える、情報端末取付部材。
【請求項２】
前記第２取付部は、前記情報端末を前記第１の位置から所定距離だけ上下方向または左右方向に移動させた前記第２の位置で取り付けるためのものである、請求項１に記載の情報端末取付部材。
【請求項３】
前記第１取付部および前記第２取付部は、前記構造体の開口部に対する前記情報端末取付部材の位置を異なる位置で取り付けるためのものである、請求項１または２に記載の情報端末取付部材。
【請求項４】
前記第１取付部および前記第２取付部は、前記構造体の開口部に設けられたスイッチボックスの固定部に前記情報端末取付部材を異なる位置で取り付けるためのものである、請求項３に記載の情報端末取付部材。
【請求項５】
前記第１取付部および前記第２取付部は、前記情報端末に対する前記情報端末取付部材の位置を異なる位置で取り付けるためのものである、請求項１または２に記載の情報端末取付部材。
【請求項６】
前記第１取付部は、前記構造体の開口部に対して前記情報端末取付部材が第１の向きで取り付けられた状態で前記情報端末を支持するものであり、前記第２取付部は、前記構造体の開口部に対して前記情報端末取付部材が前記第１の向きから１８０度回転した第２の向きで取り付けられた状態で前記情報端末を支持するものである、請求項５に記載の情報端末取付部材。
【請求項７】
請求項１〜６のいずれか一項に記載の情報端末取付部材と、前記情報端末とを備える情報端末装置。
【請求項８】
構造体の開口部の取り付けられた情報端末取付部材に第１の位置で取り付けるための第１端末側取付部と、前記第１の位置から所定距離だけ移動した第２の位置で前記情報端末取付部材に取り付けるための第２端末側取付部とを備える、情報端末。
【請求項９】
請求項１〜６のいずれか一項に記載の情報端末取付部材と、請求項８に記載の情報端末とを備える、情報端末装置。
【請求項１０】
請求項７または９に記載の情報端末装置と、前記情報端末と通信するインターホン装置とを備える、インターホンシステム。
【発明の詳細な説明】
【技術分野】
【０００１】
本開示は、情報端末取付部材、情報端末、情報端末装置、および、インターホンシステムに関する。
【背景技術】
【０００２】
例えば、特許文献１には、ケースの取付装置が記載されている。このケースの取付装置は、ケース裏面にケースを取り付ける壁掛具より大きい凹部を有し、この凹部内に壁掛具に設けた爪が引っ掛かる孔を設けるとともに凹部内に位置決め用の凸部を設け、壁掛具には凸部と対向する逃げ部を設けることが記載されている。
【先行技術文献】
【特許文献】
【０００３】
【特許文献１】特開昭６３−９１９６号公報
【発明の概要】
【発明が解決しようとする課題】
【０００４】
壁等の構造体に形成された開口部に取付部材を介して情報端末を取り付ける場合、開口部に対する情報端末の取付位置が変更可能であると、情報端末をずらした位置で取り付けたい場合に好都合である。
【０００５】
本開示の目的は、構造体の開口部に対して情報端末を複数の異なる位置で取り付けることができる情報端末取付部材等を提供することにある。
【課題を解決するための手段】
【０００６】
本開示に係る情報端末取付部材は、情報端末を構造体の開口部に取り付けるための情報端末取付部材であって、情報端末を第１の位置で取り付けるための第１取付部と、情報端末を第１の位置から所定距離だけ移動させた第２の位置で取り付けるため第２取付部とを備える。
【０００７】
本開示に係る情報端末は、構造体の開口部の取り付けられた情報端末取付部材に第１の位置で取り付けるための第１端末側取付部と、第１の位置から所定距離だけ移動した第２の位置で情報端末取付部材に取り付けるための第２端末側取付部とを備えるものであってもよい。
【０００８】
本開示の係る情報端末装置は、上記情報端末取付部材と、上記情報端末とを備える。
【０００９】
本開示に係るインターホンシステムは、上記情報端末装置と、上記情報端末と通信するインターホン装置とを備える。
【発明の効果】
【００１０】
本開示に係る情報端末取付部材、情報端末、情報端末装置、および、インターホンシステムによれば、構造体の開口部に対して情報端末を複数の異なる位置で取り付けることができる。
【図面の簡単な説明】
【００１１】
【図１】一実施形態である情報端末取付部材を備える情報端末装置を示す分解斜視図である。
【図２】情報端末取付部材の斜視図である。
【図３】固定部が３箇所設けられているスイッチボックスが設置された構造体の開口部を正面から見た図である。
【図４】情報端末装置を構成する情報端末取付部材および情報端末を後方側から見た状態で示す分解斜視図である。
【図５】情報端末装置を構成する情報端末取付部材および情報端末が組み付けられた状態を示す斜視図である。
【図６】上下反転させた情報端末取付部材で情報端末を取付可能にした変形例を示す斜視図である。
【図７】情報端末取付部材のフック部が挿入される取付孔が情報端末のケースに複数設けられている変形例を示す部分拡大図である。
【発明を実施するための形態】
【００１２】
以下に、本開示に係る実施の形態について添付図面を参照しながら詳細に説明する。この説明において、具体的な形状、材料、数値、方向等は、本開示の理解を容易にするための例示であって、用途、目的、仕様等に合わせて適宜変更することができる。また、以下において複数の実施形態や変形例などが含まれる場合、それらの特徴部分を適宜に組み合わせて用いることは当初から想定されている。
【００１３】
図１は、一実施形態である情報端末取付部材１０を備える情報端末装置１００を示す分解斜視図である。図１（他図でも同様）において、左右方向が矢印Ｘで示され、前後方向が矢印Ｙで示され、上下方向が矢印Ｚで示されている。これらの３方向Ｘ，Ｙ，Ｚは互いに直交する。以下において、前後方向Ｙに関して、図１の右側を「前」といい、図１の左側を「後」という。また、左右方向Ｘに関しては、前から見て右側、左側という。
【００１４】
図１に示すように、情報端末装置１００は、情報端末取付部材１０および情報端末５０を備える。情報端末５０は、情報端末取付部材１０を介して、構造体１の開口部２に取り付けられる。本実施形態における構造体１は、例えば、建物の室内の壁である。また、構造体１に設けられている開口部２は、例えば、正面視で長方形状に形成されている。
【００１５】
構造体１の開口部２の後方側または内側には、スイッチボックス３ａが配置されている。スイッチボックス３ａは、例えば、前方側が開口した直方体状の筐体で構成される。スイッチボックス３ａの内側には、２つの固定部４が設けられている。２つの固定部４は、上下方向Ｚに離れた位置に並んで形成されている。固定部４の前端面には、ネジ孔５が形成されている。２つの固定部４のネジ孔５は、上下方向Ｚに所定ピッチＰで配置されている。
【００１６】
図示していないが、スイッチボックス３ａ内には、電源線および信号線を含む配線が引き込まれており、この配線の端部に設けられた端子が情報端末５０に接続される。これにより、情報端末５０に電力が供給されるとともに、情報端末５０が外部との通信が可能になる。
【００１７】
情報端末５０は、例えば、インターホン親器である。この場合、インターホン親器は、通信線７を介してインターホン子器（インターホン装置）６と通信可能に接続されている。インターホン子器６は、玄関ドア周辺の壁面に設置されるドアホンとして機能する。この場合、インターホン親器である情報端末５０とインターホン子器６とによってインターホンシステムが構成される。
【００１８】
なお、情報端末５０は、インターホン親器に限定されるものではなく、例えば、住宅内の電力使用状況などを表示する住宅情報盤などであってもよい。
【００１９】
情報端末５０は、ケース５２を備える。ケース５２の内部には、回路基板等が収容されている。ケース５２の前面には、表示部５４、操作ボタン５６、および、スピーカ部５８が設けられている。
【００２０】
表示部５４は、例えば、液晶パネルによって好適に構成され、インターホン子器６から送信される画像を表示することができる。操作ボタン５６は、インターホン子器６との間での音声通信を開始および終了する際に操作されるものである。スピーカ部５８は、インターホン子器６から送信された音声を発する機能を有する。
【００２１】
情報端末取付部材１０は、情報端末５０を構造体１の開口部２に取り付けるための取付具である。情報端末取付部材１０は、例えば、金属板をプレス加工することによって形成される。情報端末取付部材１０は、略平板状の取付本体部１２と、取付本体部１２の左右方向Ｘの両側において取付本体部１２に対して略直角に曲げられた側壁部１４とを有する。
【００２２】
情報端末取付部材１０は、取付本体部１２に形成された貫通孔に前方から挿通されたネジ８がスイッチボックス３ａのネジ孔５に締め付けられることによって、スイッチボックス３ａに固定される。スイッチボックス３ａは、構造体１の内側に固定されている。したがって、情報端末取付部材１０は、構造体１の開口部２に対して間接的に固定されることになる。
【００２３】
図２は、情報端末取付部材１０の斜視図である。図１および図２に示すように、情報端末取付部材１０の取付本体部１２の中央領域には、開口部１６が形成されている。本実施形態において、開口部１６は、例えば、正面視で横長の長方形状をなし、左右方向Ｘの幅が取付本体部１２の全幅より少し短い程度に形成されている。この開口部１６を介してスイッチボックス３ａから導出された配線（図示せず）が、情報端末５０に接続される。
【００２４】
取付本体部１２は、開口部１６を挟んで上側本体部１２ａと下側本体部１２ｂとに分かれている。上側本体部１２ａおよび下側本体部１２ｂには、それぞれ、２本の突条１８が左右方向に延在して形成されている。突条１８は、取付本体部１２にプレス加工によって突設されている。これらの突条１８が形成されていることで、上側本体部１２ａおよび下側本体部１２ｂの剛性が高められている。なお、取付本体部１２の剛性を高めるための突条１８の形状や本数は、上述した形態に限られず、適宜に変更可能である。
【００２５】
取付本体部１２の上側本体部１２ａには、左右方向Ｘの中央位置に、第１上側貫通孔２０ａおよび第２上側貫通孔２０ｂが上下方向Ｚに並んで形成されている。第１上側貫通孔２０ａおよび第２上側貫通孔２０ｂは、丸孔として形成されている。第２上側貫通孔２０ｂは、第１上側貫通孔２０ａから上方へ寸法Ｓだけ離れた位置に形成されている。
【００２６】
なお、図２中に破線で示すように、第１上側貫通孔２０ａおよび第２上側貫通孔２０ｂは、長手方向が左右方向Ｘに沿った長孔にそれぞれ形成されてもよい。このようすれば、後述する第１および第２下側貫通孔もまた長孔として形成されているため、構造体１の開口部２に対する情報端末取付部材１０の取付位置を左右方向Ｘに移動させる（又はずらす）ことが可能になる。
【００２７】
取付本体部１２の下側本体部１２ｂには、左右方向Ｘの中央位置に、第１下側貫通孔２４ａおよび第２下側貫通孔２４ｂが上下方向Ｚに並んで形成されている。第１下側貫通孔２４ａおよび第２下側貫通孔２４ｂは、長手方向が左右方向Ｘに沿った長孔にそれぞれ形成されている。第２下側貫通孔２４ｂは、第１下側貫通孔２４ａから上方へ寸法Ｓだけ離れた位置に形成されている。
【００２８】
取付本体部１２において、第１上側貫通孔２０ａと第１下側貫通孔２４ａとがスイッチボックス３ａの２つのネジ孔５間に相当する所定ピッチＰで形成されている。また、取付本体部１２において、第２上側貫通孔２０ｂと第２下側貫通孔２４ｂとがスイッチボックス３ａの２つのネジ孔５間に相当する所定ピッチＰで形成されている。
【００２９】
本実施形態では、第１上側貫通孔２０ａおよび第１下側貫通孔２４ａの組が第１取付部を構成し、第２上側貫通孔２０ｂと第２下側貫通孔２４ｂの組が第２取付部を構成する。したがって、情報端末取付部材１０をスイッチボックス３ａに第１取付部で固定した場合と第２取付部で固定した場合とでは、構造体１の開口部２に対する情報端末取付部材１０の取付位置が上記寸法Ｓに相当する所定距離だけ上下方向Ｚに移動する（又はずれる）ことになる。その結果、情報端末取付部材１０を介して取り付けられる情報端末５０の取付位置もまた、構造体１の開口部２に対して上下方向Ｚに所定距離Ｓだけ移動する（又はずれる）ことになる。
【００３０】
ここで、本実施形態では、第１取付部によって情報端末取付部材１０がスイッチボックス３ａに固定された場合の情報端末５０の取付位置を第１の位置とし、第２取付部によって情報端末取付部材１０がスイッチボックス３ａに固定された場合の情報端末５０の取付位置を第２の位置としたとき、第１の位置から第２の位置に変更した場合に情報端末５０の取付位置は下方に所定距離Ｓだけ移動する（又はずれる）ことになる。
【００３１】
なお、上記においては、第１上側貫通孔２０ａおよび第１下側貫通孔２４ａの組が第１取付部を構成し、第２上側貫通孔２０ｂと第２下側貫通孔２４ｂの組が第２取付部を構成する場合について説明したが、これとは反対であってもよい。すなわち、第１上側貫通孔２０ａおよび第１下側貫通孔２４ａの組が第２取付部を構成し、第２上側貫通孔２０ｂと第２下側貫通孔２４ｂの組が第１取付部を構成してもよい。この場合、第１取付部によって情報端末取付部材１０がスイッチボックス３ａに固定された場合の情報端末５０の取付位置を第１の位置とし、第２取付部によって情報端末取付部材１０がスイッチボックス３ａに固定された場合の情報端末５０の取付位置を第２の位置としたとき、第１の位置から第２の位置に変更した場合に情報端末５０の取付位置は上方に所定距離Ｓだけ移動する（又はずれる）ことになる。
【００３２】
取付本体部１２の上側本体部１２ａには、第１および第２上側貫通孔２０ａ，２０ｂの右側に、第１右上側貫通孔２２ａおよび第２右上側貫通孔２２ｂが形成されている。第１右上側貫通孔２２ａおよび第２右上側貫通孔２２ｂは、長手方向が右下がりで傾斜した長孔にそれぞれ形成されている。第２右上側貫通孔２２ｂは、第１右上側貫通孔２２ａから上方へ寸法Ｓだけ離れた位置に形成されている。
【００３３】
取付本体部１２の下側本体部１２ｂには、第１および第２下側貫通孔２４ａ，２４ｂの右側に、第１右下側貫通孔２６ａおよび第２右下側貫通孔２６ｂが形成されている。第１右下側貫通孔２６ａおよび第２右下側貫通孔２６ｂは、長手方向が右上がりで傾斜した長孔にそれぞれ形成されている。第２右下側貫通孔２６ｂは、第１右下側貫通孔２６ａから上方へ寸法Ｓだけ離れた位置に形成されている。
【００３４】
また、取付本体部１２の下側本体部１２ｂには、第１および第２下側貫通孔２４ａ，２４ｂの左側に、第１左下側貫通孔２８ａおよび第２左下側貫通孔２８ｂが形成されている。第１左下側貫通孔２８ａおよび第２左下側貫通孔２８ｂは、長手方向が左上がりで傾斜した長孔にそれぞれ形成されている。第２左下側貫通孔２８ｂは、第１左下側貫通孔２８ａから上方へ寸法Ｓだけ離れた位置に形成されている。
【００３５】
これらの貫通孔２２ａ，２２ｂ，２６ａ，２６ｂ，２８ａ，２８ｂは、例えば２個用のスイッチボックス等であって３つ以上の固定部４を有するスイッチボックスに情報端末取付部材１０を固定する場合に用いられる。図３は、固定部４が３箇所設けられているスイッチボックス３ｂが設置された構造体１の開口部２を正面から見た図である。図３に示すように、スイッチボックス３ｂは、右上に１つの固定部４が設けられ、下側の左右方向Ｘの両側に２つの固定部４が設けられ、各固定部４の前端面にはネジ孔５がそれぞれ形成されている。なお、２個用のスイッチボックスでは、下側の２つの固定部４と同様に上側にも２つの固定部４が左右方向Ｘに並んで配置され、計４つの固定部４が設けられている。
【００３６】
このようなスイッチボックス３ｂに情報端末取付部材１０をネジ８により固定する場合、第１右上側貫通孔２２ａ、第１右下側貫通孔２６ａおよび第１左下側貫通孔２８ａの組からなる第１取付部か、または、第２右上側貫通孔２２ｂ、第２右下側貫通孔２６ｂおよび第２左下側貫通孔２８ｂの組からなる第２取付部の何れかが用いられる。この場合も同様に、第１取付部を用いた場合と第２取付部を用いた場合とで構造体１の開口部２に対する情報端末取付部材１０の取付位置が上下方向Ｚに所定距離Ｓだけ移動する（又はずれる）ことになる。その結果、情報端末取付部材１０を介して取り付けられる情報端末５０の取付位置である第１の位置と第２の位置もまた、上下方向Ｚに所定距離Ｓだけ移動する（又はずれる）ことになる。
【００３７】
このように本実施形態によれば、固定部４を２つ又は３つ有するスイッチボックス３ａ，３ｂの何れにも、上下方向Ｚの取付位置を所定距離Ｓだけ変更可能に情報端末取付部材１０を取り付けることができる。
【００３８】
再び図１および図２を参照すると、取付本体部１２の側壁部１４は、細幅に形成されており、上下方向Ｚに沿って延在している。取付本体部１２の左右方向Ｘの両側に側壁部１４が曲げ形成されていることで、取付本体部１２の剛性が高められている。
【００３９】
また、側壁部１４の上下方向Ｚの上端部近傍および下端部近傍には、２つのフック部３０ａ，３０ｂが前方に突出して一体に形成されている。情報端末取付部材１０の全体では、４つのフック部３０ａ，３０ｂが形成されている。各フック部３０ａ，３０ｂは、側面視で略Ｌ字状をなし、フック部３０ａ，３０ｂの先端部３２が上方に突出した形状をなしている。
【００４０】
次に、情報端末取付部材１０および情報端末５０を含む情報端末装置１００の取付手順について説明する。特に、ここではインターホン親器を交換する場合について説明する。
【００４１】
取付作業を行う作業者は、まず、既存のインターホン親器を構造体１から取り外す。そして、作業者は、構造体１の開口部２に露出したスイッチボックス３ａの固定部４にネジ８を用いて情報端末取付部材１０を締め付け固定する。
【００４２】
インターホン親器の外形寸法はメーカーによって異なる場合が多く、長期間にわたって構造体１である壁に設置されている場合には壁表面にインターホン親器のケース外形に対応した設置跡が残っていることがある。その場合、新たに取り付けるインターホン親器である情報端末５０によってその設置跡が隠れるように、情報端末取付部材１０の取付位置を選択する。
【００４３】
具体的には、作業者は、第１取付部である第１上側貫通孔２０ａおよび第１下側貫通孔２４ａの組を用いて情報端末取付部材１０をスイッチボックス３ａに固定するのが良いか、第２取付部である第２上側貫通孔２０ｂと第２下側貫通孔２４ｂの組を用いて情報端末取付部材１０をスイッチボックス３ａに固定するのが良いかを判断する。そのうえで、第１取付部または第２取付部を用いて情報端末取付部材１０をスイッチボックス３ａに固定する。
【００４４】
図４は、情報端末装置１００を構成する情報端末取付部材１０および情報端末５０を後方側から見た状態で示す分解斜視図である。図５は、情報端末装置１００を構成する情報端末取付部材１０および情報端末５０が組み付けられた状態を示す斜視図である。なお、実際には、スイッチボックス３ａに情報端末取付部材１０が固定された状態では、情報端末取付部材１０および情報端末５０を後方側から見ることができないが、図４及び図５では、説明の便宜上、構造体１やスイッチボックス３ａを省略して示している。
【００４５】
作業者は、上記のようにしてスイッチボックス３ａに固定された情報端末取付部材１０に対して、情報端末５０を前方から取り付ける。図４に示すように情報端末５０のケース５２の後面５２ａには、取付孔６０が形成されている。本実施形態では、情報端末取付部材１０の４つのフック部３０ａ，３０ｂに対応して、４つの取付孔６０が設けられている。取付孔６０は、ケース５２の後面５２ａに、左右方向Ｘの両側の端縁部で且つ上下方向Ｚに間隔をあけて２つずつ形成されている。
【００４６】
作業者は、情報端末取付部材１０に対して情報端末５０を前方から接近させるように移動させて、図５に示すように、ケース５２の取付孔６０にフック部３０ａ，３０ｂを挿入する。そして、作業者は、情報端末５０を下方に若干移動させることによって、各フック部３０ａ，３０ｂの前方張出部分３１の上側縁部が取付孔６０の上側縁部に当接した状態で支持される。これにより、情報端末５０は、情報端末取付部材１０によって下方から支持された状態で取り付けられる。また、この状態では、フック部３０ａ，３０ｂの先端部３２が、取付孔６０の上側縁部のケース内面に係合している。そのため、情報端末５０は、情報端末取付部材１０から前方に離れる方向への移動が規制された状態で取り付けられる。なお、情報端末５０の後方への移動は、情報端末取付部材１０の取付本体部１２および側壁部１４の少なくとも何れかがケース５２に当接した状態になっていることで規制される。
【００４７】
このようにして情報端末取付部材１０に取り付けられた情報端末５０の取付位置は、スイッチボックス３ａに対する情報端末取付部材１０の取付位置によって異なる。すなわち、情報端末取付部材１０が第１上側貫通孔２０ａおよび第１下側貫通孔２４ａの組を用いてスイッチボックス３ａに固定されている場合、情報端末５０は上下方向Ｚに関して第１の位置に取り付けられる。これに対し、情報端末取付部材１０が第２上側貫通孔２０ｂおよび第２下側貫通孔２４ｂの組を用いてスイッチボックス３ａに固定されている場合、情報端末５０は上下方向Ｚに関して第１の位置より所定距離Ｓだけ低い第２の位置に取り付けられる。
【００４８】
上述したように、本実施形態の情報端末取付部材１０は、情報端末５０を構造体の開口部に取り付けるためのものである。情報端末取付部材１０は、情報端末５０を第１の位置で取り付けるための第１上側貫通孔２０ａおよび第１下側貫通孔２４ａと、情報端末５０を第１の位置から所定距離Ｓだけ移動させた第２の位置で取り付けるため第２上側貫通孔２０ｂおよび第２下側貫通孔２４ｂとを備える。
【００４９】
この構成によれば、構造体１の開口部２に対して情報端末５０を複数の異なる位置で取り付けることができる。したがって、開口部２の周囲で構造体１の表面に交換前のインターホン親器等の情報端末の設置跡が残っている場合に、この設置跡が隠れるような取付位置を選択して情報端末を取り付けることで、施工後の美観が向上する。
【００５０】
本実施形態の情報端末取付部材１０において、第２上側貫通孔２０ｂおよび第２下側貫通孔２４ｂは、情報端末５０を第１の位置から所定距離Ｓだけ上下方向に移動させた第２の位置で取り付けるためのものである。
【００５１】
また、本実施形態の情報端末取付部材１０は、第１上側貫通孔２０ａおよび第１下側貫通孔２４ａの組、ならびに、第２上側貫通孔２０ｂおよび第２下側貫通孔２４ｂの組は、構造体１の開口部２に対する情報端末取付部材１０の位置を異なる位置で取り付けるためのものである。
【００５２】
この場合、第１上側貫通孔２０ａおよび第１下側貫通孔２４ａの組、ならびに、第２上側貫通孔２０ｂおよび第２下側貫通孔２４ｂの組は、構造体１の開口部２に設けられたスイッチボックス３ａの固定部４に情報端末取付部材１０を異なる位置で取り付けるためのものである。
【００５３】
なお、本開示に係る情報端末取付部材、情報端末装置、情報端末、および、インターホンシステムは、上述した実施形態およびその変形例に限定されるものではなく、本願の特許請求の範囲に記載された事項の範囲内において種々の変更や改良が可能である。
【００５４】
上記においては、スイッチボックス３ａに対して情報端末取付部材１０の取付位置を変変更可能にすることで情報端末５０を異なる位置で取り付ける場合について説明したが、これに限定されない。図６に示すように、情報端末５０に対する情報端末取付部材１０Ａの位置を異なる位置で取り付けられるようにしてもよい。
【００５５】
図６は、上下反転させた情報端末取付部材１０Ａで情報端末５０を取付可能にした変形例を示す斜視図である。図６に示した情報端末取付部材１０Ａは、上述した情報端末取付部材１０を図２に示した第１の向きから１８０度回転した第２の向きでスイッチボックス３ａに固定できるように構成したものである。
【００５６】
図６に示すように、情報端末取付部材１０Ａは、フック部３０ａ，３０ｂの先端部３２ａ，３２ｂが前方張出部分３１から上下方向Ｚの両側に延出ている点が上記情報端末取付部材１０と相違する。これにより、情報端末取付部材１０Ａを上下反転させた第２の向きでスイッチボックス３ａに固定した場合でもフック部３０ａ，３０ｂによって情報端末５０を引っ掛けた状態で取り付けることができる。
【００５７】
また、情報端末取付部材１０Ａでは、上側本体部１２ａにおいて第１および第２上側貫通孔２０ａ，２０ｂに対して第１右上側貫通孔２２ａおよび第２右上側貫通孔２２ｂと対称位置に、一対の長孔からなる貫通孔２３ａ，２３ｂが形成されている点で上記情報端末取付部材１０と相違する。このように一対の貫通孔２３ａ，２３ｂを設けることで、情報端末取付部材１０Ａを図３に示した３箇所留めのスイッチボックス３ｂに第１の向き及び第２の向きの何れでも固定することができる。また、このように一対の貫通孔２３ａ，２３ｂが形成されることで、例えば、ネジ孔５を有する固定部４を４つ有する２個用のスイッチボックスに情報端末取付部材１０Ａを４箇所留めでより安定して固定することができる。なお、図１、図２、図４および図５に示した情報端末取付部材１０についても上記一対の貫通孔２３ａ，２３ｂを追加して、２個用のスイッチボックスに４箇所留めで固定できるようにしてもよい。
【００５８】
情報端末取付部材１０Ａが図６に示した第２の向きにある状態で情報端末５０が取り付けられた場合、情報端末取付部材１０Ａが上下反転した第１の向きにある状態で情報端末５０が取り付けられた場合とでは、情報端末５０に対する情報端末取付部材１０Ａの位置が異なる位置で取り付けられることになる。
【００５９】
より詳しくは、情報端末取付部材１０Ａでは、フック部３０ａの前方張出部分３１の上下方向位置が第１および第２上側貫通孔２０ａ，２０ｂの上下方向Ｚの中心位置より上方にずれて位置している。同様に、フック部３０ｂの前方張出部分３１の上下方向位置は、第１および第２下側貫通孔２４ａ，２４ｂの上下方向Ｚの中心位置より上方にずれて位置している。したがって、同じ貫通孔の組２０ａ，２４ａ又は２０ｂ，２４ｂを用いてスイッチボックス３ａに情報端末取付部材１０Ａを固定した場合に、上下反転させることによって貫通孔の組２０ａ，２４ａ又は２０ｂ，２４ｂに対するフック部３０ａ，３０ｂの前方張出部分３１の位置が上下方向Ｚにずれることになる。その結果、情報端末取付部材１０Ａが第１の向きか第２の向きかによって、情報端末５０に対する情報端末取付部材１０Ａの位置を異なる位置で取り付けられることになる。
【００６０】
図６に示した情報端末取付部材１０Ａでは、貫通孔の組２０ａ，２４ａ又は２０ｂ，２４ｂを用いるかで情報端末５０の取付位置を２段階で変更でき、上下反転させることで更に２段階で変更できる。したがって、情報端末取付部材１０Ａによれば、２×２＝４段階の異なる位置で情報端末５０を取り付けることができる。
【００６１】
なお、図６に示した情報端末取付部材１０Ａでは、フック部３０ａ，３０ｂの前方張出部分３１が、情報端末５０に対する情報端末取付部材１０Ａの位置を異なる位置で取り付けるための第１取付部および第２取付部に相当する。
【００６２】
また、上記においては、情報端末取付部材１０，１０Ａによって構造体１の開口部２に対する情報端末５０の取付位置を複数の異なる位置とする場合について説明したが、これに限定されるものではない。これに代えて又はこれに加えて、図７に示すように、情報端末５０のケース５２の後面に、第１取付孔（第１端末側取付部）６０ａと、第２取付孔（第２端末側取付部）６０ｂとを上下方向Ｚに所定距離で形成してもよい。これにより、
第１取付孔６０ａを用いることで情報端末５０を構造体１の開口部２の取り付けられた情報端末取付部材１０に第１の位置で取り付けることができ、第２取付孔６０ｂを用いることで、上記第１の位置から所定距離だけ上方に移動した第２の位置で情報端末５０を情報端末取付部材１０に取り付けることができる。なお、第１の位置と第２の位置の上下関係は逆であってもよい。
【符号の説明】
【００６３】
１  構造体、２  開口部、３ａ，３ｂ  スイッチボックス、４  固定部、５  ネジ孔、６  インターホン子器（インターホン装置）、７  通信線、８  ネジ、１０，１０Ａ  情報端末取付部材、１２  取付本体部、１２ａ  上側本体部、１２ｂ  下側本体部、１４  側壁部、１６  開口部、１８  突条、２０ａ  第１上側貫通孔、２０ｂ  第２上側貫通孔、２２ａ  第１右上側貫通孔、２２ｂ  第２右上側貫通孔、２３ａ，２３ｂ  一対の貫通孔、２４ａ  第１下側貫通孔、２４ｂ  第２下側貫通孔、２６ａ  第１右下側貫通孔、２６ｂ  第２右下側貫通孔、２８ａ  第１左下側貫通孔、２８ｂ  第２左下側貫通孔、３０ａ，３０ｂ  フック部、３１  前方張出部分、３２，３２ａ，３２ｂ  先端部，５０  情報端末、５２  ケース、５２ａ  後面、５４  表示部、５６  操作ボタン、５８  スピーカ部、６０  取付孔、１００  情報端末装置。
【図１】
2020036257.tif 000003
【図２】
2020036257.tif 000004
【図３】
2020036257.tif 000005
【図４】
2020036257.tif 000006
【図５】
2020036257.tif 000007
【図６】
2020036257.tif 000008
【図７】
2020036257.tif 000009